(57)【特許請求の範囲】
【請求項１】
旋回体を構成するフレームの後部にカウンタウエイトを載置し、前記カウンタウエイトを、前記カウンタウエイトとフレームとに鉛直方向に挿通するボルトと前記ボルトに螺合されるナットとによって前記フレームに連結する建設機械のカウンタウエイト取付装置であって、
前記フレームは、該フレームの後部の上板部の上面に設けられ前記カウンタウエイトが載置されるカウンタウエイト載置面と、前記フレームの後部の下板部の下面に設けられ下方が開放して前記カウンタウエイトに挿通されたボルトまたは／およびナットが突出する連結具突出面と、前記連結具突出面に繋がり前記連結具突出面よりも前部に設けられるフレーム下面とを有し、
前記フレームは、前記カウンタウエイト載置面と前記連結具突出面との鉛直方向距離が前記カウンタウエイト載置面と前記フレーム下面との鉛直方向距離よりも前記連結具突出面から突出するボルトまたは／およびナットの突出量以上小さく構成され、
前記カウンタウエイトは、その下端面が前記フレーム下面より、下方へ突出しないように前記フレームに載置されることを特徴とする建設機械のカウンタウエイト取付装置。
【請求項２】
前記連結具突出面と前記フレーム下面との間に傾斜面を形成した
ことを特徴とする請求項１に記載の建設機械のカウンタウエイト取付装置。
【発明の詳細な説明】
【０００１】
【発明の属する技術分野】
本発明は、建設機械の旋回体後部に載置されるカウンタウエイトの旋回体への取付装置に関する。
【０００２】
【従来技術】
建設機械として、例えばクローラクレーンは、走行体上に旋回可能に設けられる旋回体にブームを備え、このブームから吊下されるワイヤロープにフックを設けて、このフックに荷物を吊持して荷役作業を行なう。そして、旋回体の後部（ブームの反対側）には、車体のバランスを保つためにカウンタウエイトと呼ばれる重錘が取付けられる。そして、このカウンタウエイトの旋回体への取付構造に関して、特開平７−２４９０号公報に開示されたものが知られている。
【０００３】
この特開平７−２４９０号公報に開示されたカウンタウエイトの取付構造は、旋回体を構成するフレーム後部にカウンタウエイトを設置し、このカウンタウエイトに鉛直方向に挿通するボルトによってフレームに固定するものであり、さらに、カウンタウエイトの下面のボルト穴周りに、ボルトと螺合するナットおよびボルトのネジ部がカウンタウエイト内に収容される（突出しない）ようにするために座ぐりを設けたものであり、これによって、ナットおよびボルトのネジ部が障害物に接触して破損することを防止している。
【０００４】
【発明が解決しようとする課題】
このように、上述した従来技術にあっては、カウンタウエイト下面に座ぐりを設け、カウンタウエイトをフレームに固定するボルトおよびナットをカウンタウエイト内に収容して、そのネジ部およびナットの障害物への接触による破損を防止している。しかしながら、この構成にあっては、フレーム下面から突出するボルトのネジ部およびナットをカウンタウエイトの座ぐりによってカウンタウエイト内に収容する構成であるため、カウンタウエイト下面はフレーム下面よりも下方へ突出することになる。
【０００５】
このため、フレームの下面際に障害物がある場合には、旋回等の操作により、カウンタウエイト下面が障害物と接触し、カウンタウエイト下面を損傷させるおそれがある。また、カウンタウエイトは、防錆のために塗装を施しているが、障害物との接触によって塗装を剥離させ、その部分から錆を発生させる可能性がある。
【０００６】
本発明は、上述した課題を解決するためになされたもので、その目的は、旋回等の操作を行なっても、カウンタウエイト下面が障害物に接触して破損することなく、かつ、カウンタウエイトをフレームに締結するボルト、ナットの破損も防止できるカウンタウエイト取付装置を提供することにある。
【０００７】
【課題を解決するための手段】
上述した目的を達成するために、本発明の建設機械のカウンタウエイト取付装置は、旋回体を構成するフレームの後部にカウンタウエイトを載置し、前記カウンタウエイトを、前記カウンタウエイトとフレームとに鉛直方向に挿通するボルトと前記ボルトに螺合されるナットとによって前記フレームに連結する建設機械のカウンタウエイト取付装置であって、
前記フレームは、該フレームの後部の上板部の上面に設けられ前記カウンタウエイトが載置されるカウンタウエイト載置面と、前記フレームの後部の下板部の下面に設けられ下方が開放して前記カウンタウエイトに挿通されたボルトまたは／およびナットが突出する連結具突出面と、前記連結具突出面に繋がり前記連結具突出面よりも前部に設けられるフレーム下面とを有し、
前記フレームは、前記カウンタウエイト載置面と前記連結具突出面との鉛直方向距離が前記カウンタウエイト載置面と前記フレーム下面との鉛直方向距離よりも前記連結具突出面から突出するボルトまたは／およびナットの突出量以上小さく構成され、
前記カウンタウエイトは、その下端面が前記フレーム下面より、下方へ突出しないように前記フレームに載置されることを特徴とする。
【０００８】
これにより、例えば、前記フレーム下面付近に障害物があった場合でも、ボルトまたは／およびナットが突出する連結具突出面は、前記フレーム下面よりも上方に位置するので、ボルトまたは／およびナットが、フレーム下面からが突出することがなく、ボルトまたは／およびナットが障害物に接触して損傷することがない。
【０００９】
また、カウンタウエイトの下端部がフレームの下面から突出することがなくなり、上述した作用効果に加え、カウンタウエイト下端部も障害物に接触することがなくなり、その損傷を防止できる。
【００１０】
また、請求項２に記載の発明では、前記連結具突出面と前記フレーム下面との間に傾斜面を形成したことを特徴とする。
【００１１】
この傾斜面の形成により、前記連結具突出面とそれに繋がる前記フレーム下面との間の応力が緩和される。
【００１２】
【発明の実施の形態】
本発明の建設機械のカウンタウエイト取付装置の一実施の形態を図１〜図３により説明する。図１は、本発明の建設機械のカウンタウエイト取付装置が適用される一例としてのクローラクレーンの全体側面図、図２は、図１の平面図で、図１におけるブーム部分を一部省略したもので、図３は、図２におけるＡ−Ａ方向断面図である。
【００１３】
図１、図２に示すように本発明が採用される建設機械の一例としてのクローラクレーンは、走行体１と、走行体１上に不図示の旋回装置を介して旋回可能に設けられる旋回体２と、旋回体２の前方に回動可能に設けられるブーム３と運転室４、旋回体２の後方に設けられるカウンタウエイト５から大略構成される。
【００１４】
ブーム３は、旋回体２に設けられる起伏ウインチ６によって起伏ロープ７を繰込み、繰り出すことで、起伏ロープ７の一端のシーブブロックであるブライドル１７とブーム３との間を接続するペンダントロープ８を介して起伏動する。また、ブーム３の頂部から吊下されるフック９は、旋回体２に設けられる主巻ウインチ１０から繰り出される主巻ロープ１１に取付けられ、主巻ウインチ１０によって主巻ロープ１１を繰込み、繰り出すことで、上下動する。
【００１５】
なお、図１において、１２は、起伏ロープ７をブーム頂部に向けて案内するＡフレーム、１３は、ブーム３の所定位置以上の後傾を防ぐバックストップ、１４は、補巻による作業を行なう場合使用される補巻ウインチ、１５は、主巻、補巻ウインチ１０、１４とは別に設けられる第３ウインチ、１６は、機械室で、不図示のエンジン、油圧機器等が配置されるものである。
【００１６】
カウンタウエイト５は、本実施の形態では、図２に示すにより、連結具としての３本のボルト２０によって旋回体２を構成するフレーム２ａに載置されて固定される。カウンタウエイト５は、図３に示すように一部に切欠き部５ａを有する中実構造物（鋳物又は製缶構造物）より構成され、カウンタウエイト５に設けられるボルト挿通孔５ｂとフレーム２ａに設けられるボルト挿通孔２ａ１にボルト２０を挿通し、ボルトのネジ部２０ａにナット２１を螺合することで、カウンタエイト５をフレーム２ａに固定する。
【００１７】
フレーム２ａには、図３に示すように、カウンタウエイト５が載置されるカウンタウエイト載置面ＣＦＭと、カウンタウエイト載置面ＣＦＭから鉛直方向距離ｈを有するフレーム下面ＦＭと、カウンタウエイト載置面ＣＦＭから鉛直方向距離ｈ１を有し、カウンタウエイト５に設けられるボルト挿通孔５ｂとフレーム２ａのボルト挿通孔２ａ１とを貫通するボルト２０のネジ部２０ａおよびナット２１が下方に突出する部分にボルト突出面（連結具突出面）ＢＭが形成される。カウンタウエイト載置面ＣＦＭとボルト突出面ＢＭとの間の距離ｈ１は、カウンタウエイト載置面ＣＦＭからフレーム下面ＦＭまでの距離ｈよりも、小さい値に設定され、その値は、距離ｈから、ボルト突出面ＢＭから突出するボルト２０のネジ部２０ａおよび／またはナット２１の突出量ｈ２を差し引いた長さと同じか、それよりも小さい値であり、ｈ１≦ｈ−ｈ２の関係にある。
【００１８】
これにより、カウンタウエイト５をフレーム２ａに固定するボルト２０のネジ部２０ａおよび／またはナット２１がフレーム２ａの下面ＦＭから突出することがないため、それらが障害物と接触して損傷することを防止でき、カウンタウエイト５のフレーム２ａからの取外し作業を円滑に行なうことができる。
【００１９】
また、フレーム２ａにボルト突出面ＢＭを設けたことにより、カウンタウエイト５をフレーム２ａに固定するボルト２０のネジ部２０ａおよび／またはナット２１の損傷が防止できるので、カウンタウエイト５は、フレーム２ａに載置した状態で、その下端面ＣＭがフレーム２ａの下面ＦＭから突出しないように切欠き部５ａの切欠き量Ｈが設定できる。切欠き量Ｈは、カウンタウエイト載置面ＣＦＭからフレーム下面ＦＭまでの距離ｈと同じかあるいは小さく設定する（Ｈ≦ｈ）ことで、カウンタウエイト５をフレーム２ａに載置した状態では、カウンタウエイト５の下端面ＣＭはフレーム２ａの下面ＦＭから突出せず、フレーム２ａの下面ＦＭと同一平面上かまたはフレーム２ａの下面ＦＭより高くすることができるので、フレーム２ａの下面ＦＭ付近に障害物があっても、カウンタウエイト５を障害物に接触させて損傷させることがない。また、接触によって、カウンタウエイトに塗布された塗料が剥がされることがないため、錆の発生を防止できる。
【００２０】
ここで、フレーム２ａの下面ＦＭからボルト突出面ＢＭに至る面をなだらかな傾斜面によって形成しているが、これは、このフレーム２ａの下面ＦＭからボルト突出面ＢＭに至る面に集中応力が発生するのを防止するためであり、強度上問題がなければ、図４のようにフレーム２ａの下面ＦＭからボルト突出面ＢＭに至る面を垂直な面によって構成することも可能であり、これによれは、加工範囲を小さくできるため、作業性が向上する。
【００２１】
なお、本実施の形態では、断面Ａ−Ａの部分について説明したが、他の固定部分も同様の構成にできる。
【００２２】
また、本実施の形態では、建設機械の一例として、クローラクレーンのカウンタウエイトを例に挙げたがこれに限定されることはなく、油圧ショベル等の建設機械に適用でき、カウンタウエイトをフレーム上に載置し、鉛直方向のボルトによって固定するものには、適用可能である。
【００２３】
【発明の効果】
以上のように本発明の建設機械のカウンタウエイト取付装置は、前記フレームを、後部上面に設けられ前記カウンタウエイトが載置されるカウンタウエイト載置面と、後部下面に設けられ下方が開放して前記カウンタウエイトに挿通されたボルトまたは／およびナットが突出する連結具突出面と、前記連結具突出面に繋がり前記連結具突出面よりも前部に設けられるフレーム下面とを有し、前記フレームは、前記カウンタウエイト載置面と前記連結具突出面との鉛直方向距離が前記カウンタウエイト載置面とフレーム下面との鉛直方向距離よりも前記連結具突出面から突出するボルトまたは／およびナットの突出量以上小さく構成されるので、例えば、前記フレーム下面付近に障害物があった場合であっても、ボルトまたは／およびナットは、フレーム下面からが突出することがなく、それらを障害物に接触させて損傷させることがない。
【００２４】
また、前記カウンタウエイトを、その下端面が前記フレームの下面より、下方へ突出しないように前記フレームに載置されるようにしたので、カウンタウエイトの下端部もフレームの下面から突出することがなくなり、カウンタウエイトの下端部を障害物に接触させて損傷させることがない。また、例えば、カウンタウエイト下端面をフレームの下面と同一平面上にすれば、美観も向上できる。
【００２５】
請求項２の発明では、前記連結具突出面と前記フレーム下面との間に傾斜面を形成したので、前記連結具突出面とそれに繋がるフレームの下面との間の応力が緩和される。
【図面の簡単な説明】
【図１】本発明の建設機械のカウンタウエイトの取付装置が採用される一例としてのクローラクレーンの全体側面図である。
【図２】図１の平面図である。
【図３】図２のＡ−Ａ方向断面図であり、本発明の実施の形態の要部を説明する要部説明図である。
【図４】図３に対応する図で、本発明の他の実施の形態を説明する要部説明図である。
【符号の説明】
２：旋回体、２ａ：フレーム、２ａ１、５ｂ：挿通孔、５：カウンタウエイト、２０：ボルト、２０ａ：ネジ部、２１：ナット、ＣＭ：カウンタウエイト下端面、ＦＭ：フレーム下面、ＢＭ：ボルト突出面。
【図１】
0003741336.tif 000002
【図２】
0003741336.tif 000003
【図３】
0003741336.tif 000004
【図４】
0003741336.tif 000005